(57)【特許請求の範囲】
【請求項１】
ディスク状の記録媒体を挿入及び排出可能に形成され、前記記録媒体に情報を記録又は記録された情報を再生する磁気ディスク装置において、
前記記録媒体を挿入及び排出するための開口を有するフレームと、
このフレームの両壁面にそれぞれ設けられた軸受け部と、
前記軸受け部にそれぞれ軸支される回動軸部を両側に有して回動することにより前記開口を開閉する扉と、
この扉の底部から前記フレームの内部方向に立ち上がり、さらに前記フレームの底面方向に突出した突起部と、
前記開口を閉じる方向に前記扉を付勢するばねと、
前記フレームの底面から突出し、前記扉がたわんだ際に前記突起部を係止する突部と
を備えたことを特徴とする磁気ディスク装置。
【請求項２】
前記突起部は前記扉の両側にそれぞれ設けられた回動軸部間の中央部に配置されていることを特徴とする請求項１に記載の磁気ディスク装置。
【請求項３】
前記突起部は複数設けられていることを特徴とする請求項１に記載の磁気ディスク装置。
【請求項４】
前記突起部は先端が細くなるようにテーパを設けられていることを特徴とする請求項１乃至３に記載の磁気ディスク装置。
【発明の詳細な説明】
【０００１】
【発明の属する技術分野】
この発明は、記録媒体を挿入及び排出する開口部を有するパネルのたわみを、パネルの開口部を開閉する扉により防止する開閉機構を備えた磁気ディスク装置に関するものである。
【０００２】
【従来の技術】
図５は、従来の磁気ディスク装置を示す説明図である。図において、２０はフロッピーディスク（以下、ＦＤと称する。）であり、ディスク状の記録媒体２１をカートリッジ２２内に収納されている。３０は、磁気ディスク装置であり、記録媒体２１に情報を記録又は記録された情報を再生する。３１は、磁気ディスク装置３０のフレーム、３２は、磁気ディスク装置３０のシールドカバーである。磁気ディスク装置３０には、ＦＤ２０を挿入及び排出するために、樹脂製の前面パネル３３に矩形状の開口部３４を設けられ、この開口部３４を開閉する樹脂製の扉３５を設けられている。扉３５には、その両側に、フレーム３２の軸受け部３２ａに軸支される回動軸部３５ａを設けられている。扉３５は、回動軸３５ａを中心に回動するように形成され、コイルばね（不図示）により、ＦＤ２０が磁気ディスク装置３０に挿入されていない状態では、開口部３４を閉じるように付勢されている。３６は扉開閉機構部であり、上述の符号３３〜３５を付した構成を含む。
【０００３】
例えば、利用者などがＦＤ２０を方向Ａに移動すると、カートリッジ２２が扉３５に当接して扉３５を装置の内側に回動させ、前面パネル３３の開口部３４から磁気ディスク装置３０内にＦＤ２０が挿入される。
【０００４】
ＦＤ２０は、ローディング機構部（不図示）により、磁気ディスク装置３０内の所定の位置に配置される。また、記録媒体２１は、媒体駆動モータ（不図示）により回転される。磁気ディスク装置３０は、所定の位置に配置したＦＤ２０の記録媒体２１に対して、ヘッド位置決め機構（不図示）により磁気ヘッド（不図示）を記録媒体２１の所定の位置に配置し、磁気ヘッドにより、情報の記録又は再生動作などを行う。シールドカバー３２は、フレーム３１に搭載されたローディング機構、媒体駆動モータ、ヘッド位置決め機構、磁気ヘッドなどを外部からの電気的ノイズから保護する。
【０００５】
【発明が解決しようとする課題】
磁気ディスク装置３０の小型化、軽量化が進み、薄型化のためには、前面パネル３３の上部に位置するシールドカバー３２を薄い金属板から形成しなければならないので、磁気ディスク装置３０をパソコン等に着脱する際、図６に示すように、磁気ディスク装置３０の前面の上部及び下部を手で挟むように持つと、方向Ｂに力Ｆ０が加わり、シールドカバー３２又は前面パネル３３がたわみ、薄い金属板のシールドカバー３２や樹脂製の前面パネル３３を破損するおそれがある。
【０００６】
この前面パネル３３のたわみによる破損を防止する方法の一つとして、磁気ディスク装置３０は、扉３５が開口部３４を閉じた状態では、扉３５が開口部３４内に位置し、力Ｆ０に対して扉３５により前面パネル３３を補強するように形成する案がある。しかしながら、図７に示すように、開口部３４の上側周縁部３４ａが扉３５の回動中心よりも前方で扉３５に当接すると、上側周縁部３４ａによって伝達力Ｆ１が作用し、扉３５は回動力Ｆ２が生じて、開く方向に回動してしまう。したがって、補強部材である扉３５がない前面パネル３３はたわんでしまう。その際、力Ｆ０が大きいと、たわみ量Ｃ０が大きくなり、前面パネル３３が破損したり、前面パネル３３が破損しないまでも、扉３５の回動軸３５ａの一方又は双方が外れ、扉３５が外れるという問題点があった。
【０００７】
これを改善するために、特開平５−２８７３３号公報などに開示されたものがある。これは、上部周縁部３４ａが扉３５の回動中心よりも後方で扉３５に当接するようにして、扉３５を開く回動力Ｆ２が発生しないようにするものである。しかしながら、そのように、上側周縁部３４ａ及び扉３５を配置するためには、前面パネル３３や扉３４の形状を複雑にする必要があり、またそれらの配置上の寸法精度を非常に高くしなければならず、製造コストなどが増加するという問題点があった。
【０００８】
この発明は、以上のような問題点を解消するためになされたもので、扉の回動軸の位置などに規制されず、前面パネルの変形時の扉の回動を防止し、前面パネルの補強が確実になされる磁気ディスク装置を得ることを目的とする。
【０００９】
【課題を解決するための手段】
この発明の磁気ディスク装置は、ディスク状の記録媒体を挿入及び排出可能に形成され、前記記録媒体に情報を記録又は記録された情報を再生する磁気ディスク装置において、前記記録媒体を挿入及び排出するための開口を有するフレームと、このフレームの両壁面にそれぞれ設けられた軸受け部と、前記軸受け部にそれぞれ軸支される回動軸部を両側に有して回動することにより前記開口を開閉する扉と、この扉の底部から前記フレームの内部方向に立ち上がり、さらに前記フレームの底面方向に突出した突起部と、前記開口を閉じる方向に前記扉を付勢するばねと、前記フレームの底面から突出し、前記扉がたわんだ際に前記突起部を係止する突部とを備えたものである。
【００１０】
また、さらに、突起部は扉の両側にそれぞれ設けられた回動軸部間の中央部に配置されているものである。
【００１１】
また、さらに、突起部は複数設けられているものである。
【００１２】
また、さらに、突起部は先端が細くなるようにテーパを設けられているものである。
【００１４】
【発明の実施の形態】
実施の形態１．
この発明の磁気ディスク装置の一実施の形態について説明する。図１は、実施の形態１による磁気ディスク装置を示す外観図、図２は、扉開閉機構部を示す分解斜視図である。図１、図２において、図５乃至図７と同一符号は同一又は相当部分を示し説明を省略する。１は、磁気ディスク装置であり、記録媒体２１に情報を記録又は記録された情報を再生する。２は、磁気ディスク装置１のフレーム、２ａは、フレーム２の両側の壁面にそれぞれ設けられた軸受け部、２ｂは、フレーム２の底面に設けられた係止部であり、フレーム２の底面に窪みを設けることにより形成されている。３２は、磁気ディスク装置１のシールドカバーである。
【００１５】
また、３は、磁気ディスク装置１の前面に設けられた樹脂製の前面パネル、４は、前面パネル３に設けられた開口部、５は、開口部４を開閉する樹脂製の扉である。５ａは、扉５の両側にそれぞれ設けられた樹脂製の回動軸部であり、軸受け部２ａに軸支されている。５ｂは、扉５に設けられた突起部であり、回動軸部５ａ間の中央にて扉５の回動先端側に突出している。また、突起部５ｂは、その先端が細くなるようにテーパ部５ｂ１を設けられ、そのテーパ面は、方向Ａ側、即ち、開口部４を開口する回動方向側に面して設けられている。
【００１６】
また、６は、コイルばねであり、開口部４を閉じるように扉５を付勢している。７は、磁気ディスク装置１に設けられた扉開閉機構部であり、上述の符号３〜６を付した構成を含む。
【００１７】
次に、動作を図により説明する。例えば、利用者などがＦＤ２０（図１に示す）を方向Ａに移動すると、カートリッジ２２が扉５に当接して扉５を磁気ディスク装置１（図１に示す）の内側に回動させ、前面パネル３の開口部４から磁気ディスク装置１内にＦＤ２０が挿入される。
【００１８】
磁気ディスク装置１は、挿入されたＦＤ２０をローディング機構部（不図示）により磁気ディスク装置１内の所定の位置に配置する。また、記録媒体２１は、媒体駆動モータ（不図示）により回転される。磁気ディスク装置１は、所定の位置に配置したＦＤ２０の記録媒体２１に対して、ヘッド位置決め機構（不図示）により磁気ヘッド（不図示）を記録媒体２１の所定の位置に配置し、磁気ヘッドにより、情報の記録又は再生動作などを行う。
【００１９】
次に、突起部５ｂと係止部２ｂの作用を図により説明する。図３は、扉開閉機構部の動作を示す説明図である。図３に示すように、扉５が開口部４を閉じた時は、突起部５ｂの突出方向の延長上に係止部２ｂが位置している。ここで、ＦＤ２０が装置内に挿入されていない状態において、磁気ディスク装置１の前面側に、方向Ｂに力Ｆ０が加わった場合、扉５に上側周縁部４ａから伝達力Ｆ１が作用する。この伝達力Ｆ１により、扉５は、その回動軸部５ａとともに方向Ｂにわずかにたわみ、回動しようとするが、回動先端側に突出した突起部５ｂが係止部２ｂに係合して扉５の回動を防止する。
【００２０】
なお、突起部５ｂにはテーパ部５ｂ１が設けられているので、回動軸部５ａが方向Ｂにたわんだ際に、突起部５ｂは容易に係止部２ｂに係合することができる。さらに、テーパ部５ｂ１のテーパ面が方向Ａ側、即ち、開口部４を開口する側に面しているので、扉５が方向Ｂヘのたわみとともにわずかに回動しても突起部５ｂは係止部２ｂに係合でき、容易に扉５の回動を防止できる。
これにより、扉５は回動しないので、その回動先端側が下側縁部４ｂに当接して、前面パネル３の補強材としての機能を果たすことになる。したがって、シールドカバー３２及び前面パネル３のたわみは、たわみＣ１（たわみＣ１＜たわみＣ０）にとどまり、扉５による前面パネル３の補強が確実に成され、シールドカバー３２の変形や前面パネル３の破損を防止でき、扉５が外れるおそれもなくなる。
【００２１】
この実施の形態１では、フレーム２の底面に窪みを形成することにより、係止部２ｂを設けたが、これに限定するものではない。即ち、係止部２ｂは、扉５が方向Ｂにたわんだ際に突起部５ｂに係合すればよく、例えば、係止部を開口部４が閉じた時の突起部５ｂの位置よりも方向Ａ側にてフレーム２から突出した突部とすることもできる。但し、突部とした場合、係止部を扉５の通常の回動域から外さねばならず、装置の薄型化の点で図２に示した窪みによる係止部２ｂに優位性がある。
【００２２】
また、突起部５ｂ（図２に示す）を複数設けても良い。図４は、扉開閉機構部の他の形態を示す分解斜視図である。図において、図２と同一符号は同一又は相当部分を示し説明を省略する。５ｃは、突起部であり、回動軸部５ａ間の中央にて扉５の回動先端側に突出して２つ設けられている。なお、突起部５ｃは、突起部５ｂ（図２に示す）のテーパ部５ｂ１（図３に示す）と同様のテーパ部（不図示）を設けられている。２ｃは、フレーム２の底面に設けられた係止部であり、係止部２ｂ（図２に示す）よりも幅方向を大きく形成されている。このように、突起部５ｃ、係止部２ｃを形成することにより、力Ｆ０が中心線Ｄよりも何れか一方の側に片寄って加わったとしても、扉５が方向Ｂにたわんだ際に、複数の突起部５ｃの何れかが確実に係止部２ｃに係合して扉５の回動を防止でき、扉５による前面パネル３の補強が確実になされ、シールドカバー３２の変形や前面パネル３の破損などを防止でき、扉５が外れるおそれもなくなる。
【００２３】
この実施の形態１による磁気ディスク装置１によれば、ＦＤ２０を挿排出する前面パネル３の開口部４を開閉する扉５の回動先端側に突出して設けられた突起部５ｂ（又は突起部５ｃ）と、扉５が開口部４を閉じている時に突起部５ｂ（又は突起部５ｃ）の突出方向の延長上に位置するようにフレーム２の底面に形成された係止部２ｂ（又は係止部２ｃ）とを備えたので、扉５の回動軸の位置に規制されず、前面パネル３により扉５が押圧されて扉５がフレーム２側にたわんだ際に、扉５の突起部５ｂ（又は突起部５ｃ）が係止部２ｂ（又は係止部２ｃ）に係合して扉５が回動しないので、扉５により前面パネル３の補強がなされ、シールドカバー３２の変形や前面パネル３の破損を防止でき、また、扉５が外れるおそれもなくなる。また、扉５の回動軸の位置に規制されないので機構設計を容易とすることができる。
【００２４】
また、突起部５ｂ（又は突起部５ｃ）は扉５の回動軸部５ａ間の中央部、即ち、扉５が方向Ｂに押圧された際にたわみの大きい部分に設けられているので、突起部５ｂ（又は突起部５ｃ）は確実に係止部２ｂ（又は係止部２ｃ）に係合することができ、扉５の回動を防止することができる。
【００２５】
特に、突起部５ｂ及び係止部２ｂは、中心線Ｄ上に配置されているので、最もたわみが大きい部分に配置されていることになり、突起部５ｂは確実に係止部２ｂに係合することができ、扉５の回動を防止することができる。また、突起部５ｃは複数設けられているので、例えば、前面パネル３の中央部分よりも側方向に片寄って力Ｆ０が作用した場合でも、複数の突起部５ｃの何れかが確実に係止部２ｃに係合することができ、扉５の回動を防止することができる。
【００２６】
【発明の効果】
この発明の磁気ディスク装置によれば、前記記録媒体を挿入及び排出するための開口を有するフレームと、このフレームの両壁面にそれぞれ設けられた軸受け部と、前記軸受け部にそれぞれ軸支される回動軸部を両側に有して回動することにより前記開口を開閉する扉と、この扉の底部から前記フレームの内部方向に立ち上がり、さらに前記フレームの底面方向に突出した突起部と、前記開口を閉じる方向に前記扉を付勢するばねと、前記フレームの底面から突出し、前記扉がたわんだ際に前記突起部を係止する突部とを備えたので、磁気ディスク装置の前面側に外力が加わった場合に扉が回動するのを防止することができ、扉が補強材として機能することができる。
【００２７】
この発明の磁気ディスク装置によれば、突起部は扉の両側にそれぞれ設けられた回動軸部間の中央部に配置されているので、パネルの中央部に外力が加わり、パネルのたわみにより扉が押圧された場合、中央部に位置する突起部は容易にフレームの底面に設けられた突部に係合でき、確実に扉の回動を防止できる。
【００２８】
この発明の磁気ディスク装置によれば、さらに、突起部は複数設けられているので、複数の突起部のうち、少なくとも何れか一つはフレームの底面に設けられた突部に係合でき、確実に扉の回動を防止できる。
【００２９】
この発明の磁気ディスク装置によれば、さらに突起部は先端が細くなるようにテーパを設けられているので、容易に係止部に係合することができる。
【図面の簡単な説明】
【図１】この発明の実施の形態１による磁気ディスク装置を示す外観図である。
【図２】実施の形態１の扉開閉機構部の分解斜視図である。
【図３】実施の形態１の扉開閉機構部の動作説明図である。
【図４】他の態様の扉開閉機構部の分解斜視図である。
【図５】従来の磁気ディスク装置を示す外観図である。
【図６】力Ｆ０が装置の前面に加わった状態を示す説明図である。
【図７】従来の扉開閉機構部の動作説明図である。
【符号の説明】
１  磁気ディスク装置、２  フレーム、２ａ  軸受け部、２ｂ、２ｃ  係止部、３  前面パネル、４  開口部、４ａ  上側周縁部、５  扉、５ａ  回動軸、５ｂ  突起部、５ｂ１  テーパ部、５ｃ  突起部、６  コイルばね、７  扉開閉機構部、３２  シールドカバー。
【図１】
0003551759.tif 000002
【図２】
0003551759.tif 000003
【図３】
0003551759.tif 000004
【図４】
0003551759.tif 000005
【図５】
0003551759.tif 000006
【図６】
0003551759.tif 000007
【図７】
0003551759.tif 000008